(57)【要約】【課題】未開封状態へのセットが容易であり、かつ、セット後の流通段階においても誤って開封されない開封確認機構付きヒンジキャップを提供する。【解決手段】本発明に係るキャップ100は、容器10の口部11に取り付けられる注出栓111に当該注出栓111を包囲する外周壁112を設けたキャップ本体110と、このキャップ本体110の外周壁112にヒンジ120を介して繋がる蓋体130とを備え、外周壁112に、２つのラインＬによって区画され外部からの押圧により傾倒するパネル１を設けると共に、このパネル１と蓋体130の裏側とにそれぞれ、この蓋体130とキャップ本体110との合わせによって互いに係合し当該係合がパネル１の傾倒によって解除されるフック２及び係止溝３を設ける。【選択図】図２
2006182423.tif 000002
【特許請求の範囲】
【請求項１】
容器の口部に取り付けられる注出栓に当該注出栓を包囲する外周壁を設けたキャップ本体と、このキャップ本体の外周壁にヒンジを介して繋がる蓋体とを備えるヒンジキャップであって、
前記外周壁に、２つのラインによって区画され外部からの押圧により傾倒するパネルを設けると共に、
このパネルと前記蓋体の裏側とにそれぞれ、この蓋体と前記キャップ本体との合わせによって互いに係合し当該係合が前記パネルの傾倒によって解除される係合部を設けたことを特徴とするヒンジキャップ。
【請求項２】
前記ラインが前記パネル面の傾倒によって破断する薄肉部である請求項１に記載のヒンジキャップ。
【請求項３】
前記ラインが前記パネル面の傾倒によって破断する連結片を備えるスリットである請求項１に記載のヒンジキャップ。
【請求項４】
前記ラインがスリットである請求項１に記載のヒンジキャップ。
【請求項５】
前記キャップ本体に、傾倒したパネルを固定する固定手段を設けた請求項１乃至４のいずれか一項に記載のヒンジキャップ。
【発明の詳細な説明】
【技術分野】
【０００１】
本発明は、蓋体の開封を確認することができると共に流通時のシール性の確実な確保を図ったヒンジキャップに関するものである。
【背景技術】
【０００２】
従来のヒンジキャップは、片手によって蓋体を簡単に開閉できる利点があり、また、蓋体の紛失を防止できることから調味料用の容器や薬品用の容器、シャンプーやリンスを入れる容器等の蓋体として幅広い分野において利用されている。
【０００３】
しかして、こうしたヒンジキャップの蓋閉めは、蓋体或いは栓体のアンダーカットのみによる係合が一般的であることから、不正な開封が為されやすく、また、商品の流通段階で予期しない衝撃力が負荷された場合に蓋体が開放されて内容物が漏洩する等の不具合がしばしば見受けられる。このため、流通時の液漏れを防止する目的で注出口と栓体との嵌合を高めに設定する改良が加えられてきているが、この場合、使用時においてはキャップの開放に際し、開放しずらかったり、或いは、開放できてもその感触としては非常に固く閉じられているように感じる等の不具合を生じていた。
【０００４】
そこで、近年のこの種のヒンジキャップとしては、キャップが未開封状態であることを確認するため、容器口部に取り付けられるキャップ本体に蓋体をセットするときに、キャップ本体に破断可能に取り付けた開封確認部材（以下、「バージン部材」という。）を係合させておき、使用の際に、蓋体の持ち上げによってバージン部材を破断させて、キャップの開封を確認することができるものがある（例えば、特許文献１参照。）。
【特許文献１】特開平９−１２０５４号公報
【０００５】
しかしながら、かかるヒンジキャップにあっては、蓋体をキャップ本体にセットする際にバージン部材が破断してしまうことを考慮してセットを行う必要があり、出荷時においてキャップを未開封状態にセットする作業が煩雑であった。また、かかるヒンジキャップは、バージン部材がキャップから剥き出しの状態にあるため、セットを完了した後の流通段階において、キャップ本体とバージン部材とを繋ぐ連結部に大きな衝突が起こってバージン部材が破断しないように注意して運搬する必要があり、セット完了後の運搬性に未だ改善の余地があった。
【発明の開示】
【発明が解決しようとする課題】
【０００６】
本発明の解決すべき課題は、未開封状態へのセットが容易であり、かつ、セット後の流通段階においても誤って開封されないヒンジキャップを提供することにある。
【課題を解決するための手段】
【０００７】
本発明は、容器の口部に取り付けられる注出栓に当該注出栓を包囲する外周壁を設けたキャップ本体と、このキャップ本体の外周壁にヒンジを介して繋がる蓋体とを備えるヒンジキャップであって、前記外周壁に、２つのラインによって区画され外部からの押圧により傾倒するパネルを設けると共に、このパネルと前記蓋体の裏側とにそれぞれ、この蓋体と前記キャップ本体との合わせによって互いに係合し当該係合が前記パネルの傾倒によって解除される係合部を設けたことを特徴とするものである。
【０００８】
また、本発明において、前記ラインが前記パネル面の傾倒によって破断する薄肉部で構成されていることが好ましい。また、本発明において、前記ラインは、前記パネル面の傾倒によって破断する連結片を備えるスリットであってもよい。更に、本発明において、前記ラインをスリットにすることもできる。
【０００９】
更に、本発明は、前記キャップ本体に、傾倒したパネルを固定する固定手段を設けることが好ましい。
【発明の効果】
【００１０】
本発明によれば、ヒンジキャップの出荷に際して蓋体をキャップ本体に合わせるとき、パネル面に設けた係合部と前記蓋体の裏側に設けた係合部とが互いに係合するだけで未開封状態へのセットが完了する。しかも、蓋体とキャップ本体との間の係合は、前記パネル面を外部から傾倒させることにより解除しなくてはならないため、ヒンジキャップが未開封状態であるか否かは当該パネル面の傾倒の有無を目視することにより容易に確認することができる。従って、本発明は、未開封状態へのセットが容易で、生産性に優れる。
【００１１】
加えて、本発明は、パネルと蓋体との間の係合がキャップ本体の外周壁より外方に突出せず、当該蓋体の裏側にてなされるため、外部からの大きな衝突が起こっても、パネルと蓋体との間の係合が誤って解除されない。従って、本発明は、セット後の流通段階においても誤って開封されにくく運搬性にも優れる。
【００１２】
また、本発明において、キャップ本体の外周壁に前記パネルを区画するラインは、パネルの傾倒によって破断される薄肉部にすることができる。この場合、パネルとパネル以外の外周壁が完全に一体であるため、蓋体とキャップ本体との間の未開封状態を保証するバージン性に優れる。
【００１３】
また、本発明において、キャップ本体の外周壁に前記パネルを区画するラインは、パネルの傾倒によって破断される連結片を備えるスリットにすることもできる。この場合、キャップ本体の外周壁からパネルを分離しやすいため、開封性に優れて使い勝手よい。
【００１４】
更に、本発明において、キャップ本体の外周壁に前記パネルを区画するラインは、スリットにすることもできる。この場合、キャップ本体の外周壁からパネルを分離する必要がないため、更に開封性に優れて使い勝手よい。.
【００１５】
また、本発明は、前記キャップ本体に、傾倒したパネルを固定する固定手段を設けることが好ましい。この場合、キャップ開封後の使用時においてパネルが動かないため、蓋体とパネルとが再度係合することによりパネルを再度傾倒させる等の煩雑さを解消することができて使い勝手がよい。
【発明を実施するための最良の形態】
【００１６】
図１及び図２はそれぞれ、本発明の第一の形態であるヒンジキャップ100の未開封状態及び、その開封後の状態を示す縦断面図であり、また、図３（ａ），（ｂ）はそれぞれ、図１及び図２に対応するヒンジキャップ１を示す斜視図である。
【００１７】
ヒンジキャップ100は、容器10の口部11に取り付けられるキャップ本体110と、このキャップ本体110にヒンジ120を介して繋がる蓋体130とを備える。具体的には、キャップ本体110は、容器10の口部11にねじ止めされて容器10内に通じる注出孔ｈを有する注出栓111と、この注出栓111に繋がって当該注出栓111を包囲する外周壁112とからなり、この外周壁112にヒンジ120を介して蓋体130が揺動可能に一体に繋がっている。
【００１８】
またキャップ本体110の外周壁112には、図４に示す如く、周囲の外周壁112に比べて薄肉に形成された２つのラインＬが設けられている。これらのラインＬは、蓋体130と合わさる外周壁112の合わせ面側縁部ｅ1から、キャップ軸線に沿って外周壁112の下端付近に設けた環状の隆起部113との境界縁部ｅ2まで伸びており、当該外周壁112に対して本発明に係るパネル１の外観形状を区画する。更に、キャップ本体110の注出栓111には、パネル１が区画された位置に、このパネル１の傾倒を許容する窪み空間Ｒが形成されている。これにより、２つのラインＬと境界縁部ｅ2とで区画された領域を一定の力で押圧すると、２つのラインＬが境界縁部ｅ2まで破断することにより、パネル１は、境界縁部ｅ2を基点にキャップ本体110の内側に傾倒する。
【００１９】
また、パネル１には、蓋体130との合わせ面側にフック２が一体に立設されており、更に、蓋体130の周壁131の裏側には、蓋体130をキャップ本体110に合わせるときに、パネル１のフック２が周壁131の末端131eを乗り越えて引っかかる（係合）する係止溝３が設けられている。即ち、本形態において、フック２と係止溝３とが、パネル１を蓋体130に係合させる係合部に相当する。これにより、パネル１のフック２と蓋体130の係止溝３とは、蓋体130とキャップ本体110との合わせによって互いに係合して蓋体130の開きを阻止するが、当該係合は、パネル１が外周壁112に対して傾倒にすることによって解除される。
【００２０】
更に、キャップ本体110の窪み空間Ｒには、パネル１に設けたフック２の背面に向かって突出するリブ４が設けられている。このリブ４は、図１に示す如く、蓋体130の未開封状態にあっては、フック２の背面に接触し、パネル１に所定以上の力Ｆが掛かってフック２の基部2aが乗り越えない限り、当該パネル１の傾倒を阻止する役目を果たしている。しかして、パネル１が外周壁112に対して傾倒し、フック２の基部2aがリブ４を乗り越えてくぼみ空間Ｒに入り込むと、このリブ４は、図２に示す如く、フック２の嵌合溝５に嵌合して、傾倒したパネル１をキャップ本体110に対して固定する。
【００２１】
なお、本形態において、蓋体130は、その天面から垂下するロッド130pが設けられている。このロッド130pは、注出孔ｈに着脱可能に嵌合するため、蓋体130は、パネル１を傾倒させた開封後においても、キャップ本体110に対して着脱させることができる。
【００２２】
即ち、本キャップ100によれば、このヒンジキャップ100の出荷に際して蓋体130をキャップ本体110に合わせるとき、パネル１に設けたフック２と蓋体130の裏側に設けた係止溝３とが互いに係合するだけで未開封状態へのセットが完了する。しかも、蓋体130とキャップ本体110との間の係合は、使用者がパネル１を外部から力Ｆで押圧して当該パネル１を、境界縁部ｅ2を基点に傾倒させることにより解除しなくてはならないため、ヒンジキャップ100が未開封状態であるか否かは当該パネル１の傾倒の有無を目視することにより容易に確認することができる。従って、本キャップ100は、未開封状態へのセットが容易で、生産性に優れる。
【００２３】
加えて、本キャップ100は、パネル１と蓋体130との間の係合がキャップ本体110の外周壁112より外方に突出せず、当該蓋体130の裏側にてなされるため、外部からの大きな衝突が起こっても、パネル１と蓋体130との間の係合が誤って解除されない。従って、本キャップ100は、セット後の流通段階においても誤って開封されにくく運搬性にも優れる。
【００２４】
ここで、図４（ａ），（ｂ）はそれぞれ、本形態におけるラインＬを示す要部正面図及び要部斜視図である。本キャップ100において、キャップ本体110の外周壁112にパネル１を区画するラインＬは、図４（ａ），（ｂ）に示す如く、パネル１の傾倒によって破断される薄肉部にしている。この場合、パネル１とパネル１以外の外周壁112が完全に一体であるため、蓋体130とキャップ本体110との間の未開封状態を保証するバージン性に優れる。
【００２５】
更に、本キャップ100は、そのキャップ本体110に、外周壁112に対して傾倒したパネル１を固定する固定手段として、リブ４と嵌合溝５とが設けられている。この場合、キャップ開封後の使用時においてパネル１が境界縁部ｅ2を基点に動かないため、パネル１のフック２と蓋体130の係止溝３とが再度係合することによりパネル１を再度傾倒させる等の煩雑さを解消することができて使い勝手がよい。
【００２６】
また、本形態において、蓋体130の周壁131には、係止溝３を保護する位置に庇部６が一体に突設されている。具体的には、庇部６は、係止溝３が裏側に位置する蓋体130の頂面130fの縁部に設ける。かかる構成によれば、運搬中にあっても、パネル１に誤って接触しにくくなるため、更に運搬性に優れる。この庇部６は、蓋体130を開く場合に指を引っ掛けて蓋体130を開け易くする機能も備えるが、本発明においては、必須のものではなく、任意の構成である。
【００２７】
また、本発明において、キャップ本体100の外周壁112にパネル１を区画するラインＬは、図５（ａ），（ｂ）に示す如く、パネル１と外周壁112とを繋いでパネル１の傾倒によって破断される連結片Ｐを備えるスリット（隙間）にすることもできる。この場合、キャップ本体110の外周壁112からパネル１を分離しやすいため、開封性に優れて使い勝手よい。
【００２８】
更に、本発明において、キャップ本体100の外周壁112にパネル１を区画するラインＬは、図６（ａ），（ｂ）に示す如く、単なるスリットにすることもできる。この場合、キャップ本体110の外周壁112からパネル１を分離する必要がないため、更に開封性に優れて使い勝手よい。.
【００２９】
更にまた、本発明において、その下端が環状の隆起部113に接続されているパネル１は、開封、傾倒後のリブ４と嵌合溝５との嵌合を強制的に解除し開封前の位置まで復帰させた場合、フック２と係止溝３との係合状態が維持されることになり、改めてパネル１を傾倒させない限り蓋体130の開放が不可能になる。これにより、幼児に対してのヒンジキャップ100の取り扱いを制限することが可能となるチャイルドプルーフ機能を発揮するヒンジキャップとしても利用することができる。
【００３０】
上述したところは、本発明の好適な形態を示したに過ぎず、当業者によれば、特許請求の範囲において様々な変更を加えることができる。例えば、本形態においては、係合部は、パネル１に設けたフック２と、蓋体130の裏面に設けた係止溝３とで構成したが、これに限ることなく、パネル１に係止溝３に設けると共に蓋体130の裏面にフック２を設けたり、凹凸又は凸凸による係合であってもよい。更に、ヒンジ120も、ヒンジ121の形態に限らず、既知のミラーヒンジ他のスナップヒンジ以外の構成にも採用可能であり、一般にヒンジと呼ばれるものであればよい。
【図面の簡単な説明】
【００３１】
【図１】本発明の第一の形態であるバージン機構付きヒンジキャップの未開封状態を示す縦断面図である。
【図２】図１に示すヒンジキャップの開封後の状態を示す縦断面図である。
【図３】（ａ），（ｂ）はそれぞれ、図１、図２に対応するヒンジキャップを示す斜視図である。
【図４】（ａ），（ｂ）はそれぞれ、同形態におけるラインを示す要部正面図及び要部斜視図である。
【図５】（ａ），（ｂ）はそれぞれ、本発明の他の形態におけるラインを示す要部正面図及び要部斜視図である。
【図６】（ａ），（ｂ）はそれぞれ、本発明の更に他の形態におけるラインを示す要部正面図及び要部斜視図である。
【符号の説明】
【００３２】
１    パネル
２    フック
３    係止溝
４    リブ
５    嵌合溝
６    庇部
100  ヒンジキャップ
110  キャップ本体
111  注出栓
112  外周壁
120  ヒンジ
130  蓋体
【図１】
2006182423.tif 000003
【図２】
2006182423.tif 000004
【図３】
2006182423.tif 000005
【図４】
2006182423.tif 000006
【図５】
2006182423.tif 000007
【図６】
2006182423.tif 000008